(57)【要約】方法及びシステム（２００）は、複製の出所の地理的領域に基づいてコピープロテクトされた素材（２０２）の複製に地理マーカーを付する（１７０）。準拠するレンダリング装置は、そのレンダリング装置に関連する地理的領域とは異なる（１２０）地理マーカーを有するコピープロテクトされた素材（２０１）のレンダリングを防止する（１４０）。オリジナルコピーを生成するレンダリング装置（２００）の地理的位置を含め、レンダリング装置（２００）の地理的位置を決定するため、種々の技術のいずれかが使用される。好ましくは、コピープロテクトされた素材の各複製も、その複製を生成したレンダリング装置（２００）の識別子を含み、同じレンダリング装置による次の複製のレンダリングは地理的場所に関わらず許容され、これによって消費者のレンダリング装置の移転及び素材のライブラリーが考慮される。
2006520043.tif 000002
【特許請求の範囲】
【請求項１】
レンダリングシステムにおいてコンテンツ素材を受け取るステップ、
前記コンテンツ素材が地理マーカーを含むかどうかを決定するステップ、
前記地理マーカーと前記レンダリングシステムの識別された場所との間の対応関係に基づいて前記コンテンツ素材をレンダリングするステップ、を有するコピープロテクションの方法。
【請求項２】
前記レンダリングシステムの識別された場所を決定するステップを更に含む、請求項１の方法。
【請求項３】
前記コンテンツ素材の複製に、前記レンダリングシステムの識別された場所に対応する新しい地理マーカーを付するステップを更に有する、請求項１の方法。
【請求項４】
前記コンテンツ素材の複製に前記レンダリングシステムの識別を付するステップを更に含む、請求項３の方法。
【請求項５】
前記地理マーカーは前記コンテンツ素材に結合するウオーターマークに含まれる、請求項１の方法。
【請求項６】
前記コンテンツ素材は前記コンテンツ素材の出所の識別を含み、
前記方法が、
前記出所の識別が前記レンダリングシステムの識別に対応する場合、前記コンテンツ素材をレンダリングするステップを更に含む、請求項１の方法。
【請求項７】
コピープロテクションシステムであって、
コンテンツ素材を選択的にレンダーするレンダラー、及び
前記レンダラーに動作可能に結合され、前記コンテンツ素材の地理マーカーと前記コピープロテクションシステムの識別された場所との間の対応関係に基づいて前記レンダラーを制御する地理チェッカー、
を有するコピープロテクションシステム。
【請求項８】
前記レンダラーに動作可能に結合され、前記コンテンツ素材を受け取るリーダーを更に含む、請求項７のコピープロテクションシステム。
【請求項９】
前記リーダーは、更に、前記地理マーカーを前記地理チェッカーに与える、請求項８のコピープロテクションシステム。
【請求項１０】
前記レンダラーに動作可能に結合され、前記コピープロテクションシステムの場所に対応する新しい地理マーカーを前記レンダラーにより与えられる前記コンテンツ素材の複製に加えるマーキング装置を更に含む、請求項７のコピープロテクションシステム。
【請求項１１】
前記マーキング装置は、更に、前記コピープロテクションシステムの識別子を前記コンテンツ素材の複製に加える、請求項１０のコピープロテクションシステム。
【請求項１２】
前記レンダラーは、更に、前記コンテンツ素材の複製の識別を記憶する、請求項１０のコピープロテクションシステム。
【請求項１３】
前記地理チェッカーは、前記コンテンツ素材の出所の識別子と前記コピープロテクションシステムの識別子との対応関係に基づいて、前記レンダラーを制御する、請求項７のコピープロテクションシステム。
【請求項１４】
素材を一つ以上の受信器に送る送信器、及び
前記１つ以上の受信器の場所に対応する地理マーカーを前記素材に付するマーキング装置、を有するコピープロテクションシステム。
【請求項１５】
前記地理マーカーは、前記素材に結合されるウォーターマークに含められる、請求項１４のコピープロテクションシステム。
【請求項１６】
前記１つ以上の受信器のうちの少なくとも１つの受信器であって、前記地理マーカーと前記少なくとも１つの受信器との間の対応関係に基づいて、前記素材のレンダリングを制御する１つ以上の受信器を更に含む、請求項１４のコピープロテクションシステム。
【発明の詳細な説明】
【技術分野】
【０００１】
本出願は、２００３年３月４日に出願されたＵＳの仮特許出願第６０／４５１，９１９号の利益を請求する。
【０００２】
本発明は、コピープロテクションの分野、特に、コピープロテクトされた素材の遠隔マーケット又はグローバルマーケットへの頒布の防止に関する。
【背景技術】
【０００３】
著作物の不正頒布から、コピープロテクションが著作物（例えばエンターテイメント素材）の所有者に与えられる。しかし、著作物の購入者は、彼ら自身の都合及び楽しみのために、購入した著作物を複製できることを期待する。規格及び技術は、保護されている著作物の購入者がその著作物を自由に複製することを可能にするが、依然としてその保護されている著作物の所有者に広範囲の頒布からのいくらかの防止を与えるコピープロテクションシステムを提供するために発展し続ける。
【０００４】
著作物の所有者の特別の関心事は、インターネットを通じたその著作物の広範囲の頒布の可能性である。今まで、個人は著作物を広く頒布する限られた機会を有しており、法律の資源は、著作物の不法コピーの比較的少数のワイドスケール提供者に対して追求することができた。インターネットにより提供される特有の広範囲の接続性が増大しており、エンターテイメント素材の広範囲の頒布を特に容易にするためにウェブサイトが開設されている。
【０００５】
購入者と著作権の所有者との競合する権利の均衡をとろうと試みる種々のプロテクション方式が提案及び／又は実行されている。これらのプロテクション方式の多くに使用される共通技術は、コンテンツ素材の変化に敏感な素材のマーキングの使用である。例えば、正規のコンテンツ素材のハッシュ値に基づいたマークをつくることができる。コンテンツが任意の方法で修正される場合、そのマークはもはや修正されたコンテンツのハッシュ値に対応しない。例えば電子透かしプロセスを通じてマークをコンテンツ素材に消えないように結合することによって、修正されたコンテンツ素材の複製を検出することができる。斯かるマーキングは素材のインターネット頒布を検出するときに特に有効である。なぜならば、インターネット上で情報を効率的に伝送するために一般に使用される圧縮技術が、素材に変化を導入するからである。
【０００６】
しかし、これら圧縮検出技術は、ユーザが素材を伝送するのに必要な時間を受け入れる気がある場合、有効なものではなく、ユーザが必要な時間を受け入れるという気持ちは、ユーザに利用可能なバンド幅が増加するに伴って、増大することが予想できる。また、これらの圧縮検出技術は、素材が、次の圧縮の検出を容易にするように構成されるマーキングを元々備えていない場合、有効ではないだろう。
【発明の開示】
【発明が解決しようとする課題】
【０００７】
本発明の目的は、コピープロテクトされた素材の頒布の範囲を制限するコピープロテクション方式を提供することにある。本発明の他の目的は、ソース素材によって提供されるコピープロテクションとは実質的に独立したコピープロテクション方式を提供することにある。
【課題を解決するための手段】
【０００８】
これらの目的等は、複製の出所の地理的領域に基づいて、コピープロテクトされた素材に地理マーカーを付する方法及びシステムによって提供される。準拠するレンダリング装置は、そのレンダリング装置に関連する地理的領域とは異なる地理マーカーを有するコピープロテクトされた素材のレンダリングを防止する。レンダリング装置の地理的位置（オリジナルコピーを生成するレンダリング装置の地理的位置を含む）を求めるために、任意の種々の技術が使用される。好ましくは、コピープロテクトされた素材の各複製は、その複製を生成したレンダリング装置の識別子も含み、同じレンダリング装置による次の複製のレンダリングは、地理的場所に関わらず許容され、これによって消費者のレンダリング装置の移転及び素材のライブラリーが考慮される。
【０００９】
図面を通じて、同じ符号は同じ要素、又は実質的に同じ機能を実行する要素に言及している。
【発明を実施するための最良の形態】
【００１０】
図１は、本発明によるコピープロテクションシステムの一例の流れ図を示す。１１０において、レンダリング装置は、コンテンツ素材をレンダーするためのリクエストを受ける。本発明の目的において、レンダリングという用語は、コンテンツ素材にアクセスし及び処理する（コピーすること、演奏すること、表示すること等、及びその他を含む）ありとあらゆるプロセスを含む。同様に、コピーするという用語は、任意の種々の形式でコンテンツ素材の複製を生成するありとあらゆるプロセスを含む（素材を記憶する、素材をリムーバブル記憶装置に与える、素材をリモート装置に伝送する等を含む）。
【００１１】
本発明によれば、コンテンツ素材は、このコンテンツ素材の複製の出所を識別する地理マーカーを任意に含む。１２０において、コンテンツ素材は、それが関連する地理マーカーを有するかどうか、有していれば、地理マーカーがレンダリング装置の場所に対応するかどうかを決定するために、チェックされる。ここでは、地理マーカーの存在は、地理マーカーに対応する地理的領域内に位置するレンダリング装置への素材のレンダリングの制限を意味すると仮定される。例えば、特定の領域に又は特定の国の中でブロードキャストされる素材は、それ以降の他の地域又は国への再頒布を制限するために、マークが付されることができる。レンダリング装置の場所を識別するために、以下に更に詳述されるように、任意の種々の技術を使用することができる。１２０において、マーカーがレンダリング装置の場所に対応する場合、１８０において素材がレンダーされる。
【００１２】
１２０において、素材が地理マーカーを含まないと決定された場合、１５０において、それは、素材が保護されるべきことを示す任意の他のマーキングを含むかどうかを決定するためにチェックされる。例えば、素材を、再頒布されるべきではない保護された「ブロードキャスト」素材として識別することができる。同様に、素材が任意のコピープロテクトマーキングの形式を含む場合、作成される如何なる複製も地理的場所に基づいて再頒布を制限するためにマークが付されるデフォルト規則を確立することができる。１５０において、素材がコピープロテクトされている表示を含まない、又は、１６０において、リクエストが素材を複製することではない場合、１８０において、それは自由にレンダーされる。１５０において、素材はコピープロテクションが正当であると決定される、及び、１６０において、リクエストが素材をコピーすることである場合、１７０において、レンダリング装置の位置に対応する地理マーカーが素材に付けられ、１８０において、素材がレンダーされる／複製される。
【００１３】
本発明の第２の態様によれば、コンテンツ素材は、この素材の複製の出所の識別子も含む。１２０において、地理マーカーがレンダリング装置の場所とは異なる出所の場所を示す場合、その出所を決定するためにコンテンツ素材は任意にチェックされる。素材の出所がこのレンダリング装置である場合、出所の場所と現在の場所とが対応しないという事実は無視され、１６０において又は任意に１８０において、以下に記載するように、プロセスが続けられる。このように、消費者が新しい地理的位置に移転する場合、消費者はこのレンダリング装置により作成された如何なる素材にも依然としてアクセスすることができる。一方、１２０において、場所が異なる、及び１３０において、素材の出所が現在のレンダリング装置ではない場合、１４０において、レンダリングが拒否される。
【００１４】
上記のように、１３０において、そのレンダリング装置が複製の出所として同じ装置ではあるが、その場所が変わった場合、１６０においてプロセスが続けられ、従って新たな複製は、レンダリング装置の現在の地理マーカーが付される。この方式は、違法な複製者が、別の複製を行うためにそのレンダリング装置を各地理的場所に送ることによって複数の地理的位置においてレンダリング可能な複製を行うことを可能にするが、それは、消費者が位置を変えるときは素材を複製する消費者の権利を維持するという比較的トランスペアレントな手段を提供する。任意に、前述の不法な複製の危険が移転後の消費者の権利を維持する必要性を越えるものと決定された場合、ブロック１３０から１８０に分岐することによって、これにより１６０における新たな地理マーカーの付与を飛び越すことによって、単にオリジナルの地理マーカーを伴なう素材をレンダーするようにプロセスを構成することができる。
【００１５】
図２は、本発明によるコピープロテクションシステム２００の一例のブロック図を示す。システム２００は、リーダー２１０を通じて媒体２０１からコンテンツ素材を読み、レンダラー２２０を通じて、装置２０３に視覚出力又は音声出力するために又は素材の複製を媒体２０２に供給するために、レンダリングする。媒体２０１及び２０２は、ＣＤ若しくはＤＶＤのようなリムーバブル媒体、ハードディスクドライブのような固定媒体、又はリモート元若しくはリモート先へのネットワーク接続若しくはブロードキャスト接続のようなタンジブルではない媒体を含むことができる。この開示の目的のため、例えばケーブル、サーチライト、又はダイレクトブロードキャストを通じた潜在的な受信者への素材のブロードキャストは、特定の受信者が素材を受け取る及び／又は素材を複製するかどうかに関わらず、素材の複製を提供するよう構成する。
【００１６】
本発明に従い、システム２００はコンテンツ素材に関連する地理マーカーをシステム２００の地理的位置と比較する地理チェッカー２３０を含む。地理マーカーは、好ましくは、ウォーターマーク又はコンテンツ素材に添付される他の消えないデータに含められる。
【００１７】
地理マーカーは、地理的領域を識別するために構成され、タイムゾーン、国境、大陸の境界、地域境界、郵便の境界等のようなデリミタに基づくことができる。例えば、利用者がペイパービューの映画を注文するとき、コンテンツ素材は、利用者の郵便番号、電話番号、タイムゾーン、市、州、素材が伝送されている場所の他の識別子に基づく地理マーカーを含むことができる。その後、対応する場所に位置しているレンダリング装置のみが、続いて、素材又はその素材の複製をレンダーする。用語「対応する場所」は、ここではマーカーに関連する地理的範囲に一致するように規定される。例えば、マーカーはタイムゾーンを識別することができ、対応する場所は、識別されたタイムゾーンのＮ個のタイムゾーン内の任意の場所とすることができる。または、識別子は座標とすることができ、対応する場所はその座標の半径Ｒ内の位置とすることができる。同様に、識別子は国識別子とすることができ、対応する場所は、識別された国との政治的、社会的又は経済的関係などを有する国のリストのなかのいずれかのものとすることができる。
【００１８】
システム２００の地理的位置は、この開示を考慮して当業者に明らかであるように、種々の手段のいずれかで識別されることができる。簡単な実施例では、システム２００の生産者は、システム２００が配送のために発送される国を識別する国識別子を含むことができる。好適実施例では、システム２００は地理的位置を決定する手段にアクセスする。サテライトセットトップボックス及びケーブルセットボックスのような多くの受信装置は、電話にアクセスする必要があり、受信装置の位置の変化を検出するために電話接続を使用する。多くのソフトウェアアプリケーションは、プロバイダとのケーブル又は電話通信を通じて、初回アクセス認可シーケンスを必要とし、このシーケンスは位置識別子を含むように構成することができるだろう。位置を決定する他の手段（例えばＧＰＳ）、ブロードキャスト信号からの場所情報の受取り、又は他の技術を使用することもできる。
【００１９】
位置を決定する自動化された手段が、システム２００における実施例において利用可能ではない又は適していない場合、手動技術を使用することができる。例えば、システム２００を最初に活性化するために消費者は郵便番号を入力することが要求されるようにできる。その後、この郵便番号はシステム２００の場所を識別するために使用される。システム２００の場所を識別するこの方法は違法に複製する者により潜在的な悪用を受けるが、それはコンテンツ素材を「故意ではなく」違法に複製する者による広範囲にわたる頒布から保護するのに役立つ。即ち、大部分の消費者は、彼ら自身の使用のために素材を複製することが防止されることは望まないが、本質的には、本発明の方式のような目立たないプロテクション方式を回避する積極的役割をしたいとは思わない。あるいは、システムの悪用の容易性を低減するために障害を具体化することができる。例えば、アクセスコードの許可の権限にコンタクトせずにシステム２００のユーザが最初に入力した位置識別子を変えることを防止できる。許可の権限は、消費者が所与の期間内に位置識別子を変更することが認められる回数を制限するように構成できる。あるいは又は付加的に、上で言及したように、各複製は好ましくはソース装置の識別子が付され、悪用が検出されると、許可の権限は悪用されている装置に次の位置変化の許可を与えることを拒否することができる。システム２００の地理的位置の決定を容易にし制御するこれら及び他の技術は、この開示を考慮して当業者には明らかである。
【００２０】
地理チェッカー２３０は、媒体２０１からの素材の地理マーカーとシステム２００の地理的場所との間の対応関係に基づいてレンダラー２２０を制御する。マーカー及び場所が上に規定したように対応する場合、又は素材に地理マーカーが存在しない場合、チェッカー２３０はレンダラー２２０をイネーブルにする。
【００２１】
マーカー及び場所が対応しない場合、地理チェッカー２３０は、このシステム２００が以前に媒体２０１にコンテンツ素材を作成したかどうかを求めるために、素材の出所の識別子を任意にチェックする。当業者は、媒体２０１のコンテンツ素材がシステム２００の識別子を含んでいる、又は、システム２００がこのシステムが以前に生成した媒体２０２の各コンテンツ素材の識別子を含んでいるということを認識する。理解及び表現の容易のため、用語「出所の識別子」は、これらの識別技術のどちらをも含む。このシステム２００が媒体２０１の素材の出所である場合、地理チェッカー２３０は、地理マーカーとシステム２００の場所との間の対応関係とは独立して、レンダラー２２０をイネーブルする。
【００２２】
システム２００が媒体２０２に素材の複製をレンダーできる場合、システム２００は好ましくは、それが生成する各複製を選択的にマークするマーキング装置２４０を含む。上記のように、媒体２０１の素材が、地理マーカーを含んでいないがコピープロテクトされるとして識別される場合、マーキング装置２４０は媒体２０２に提供される素材を地理マーカーに加える。媒体２０１の素材がシステム２００の場所と一致する地理マーカーを含む場合、この元の地理マーカーは媒体２０２に提供される素材に含められる。媒体２０１の素材がシステム２００の場所に対応しない地理マーカーを含み、システム２００が媒体２０１の素材の出所として識別される場合、上記のように、システム２００は元のマーカーを保持するか又はシステム２００の新しい位置に対応する新しいマーカーを適用する。
【００２３】
マーキング装置２４０は、素材にシステム２００の識別子を付することによって、又は素材の識別子をシステム２００の媒体２０２若しくはシステム２００にアクセス可能な遠隔位置（例えば、ネットワークデーターベース）に記憶することによって、システム２００を媒体２０２に提供される素材の出所として任意に識別もする。
【００２４】
前述のことは、本発明の原理を単に説明しただけである。従って、当業者は、ここには明確には記載されていない又は示されていないが本発明の原理を実現しそれ故にその精神及び範囲内にある種々の装置を考えることができることを理解するだろう。例えば、本発明は典型的な民生用レンダリング装置を背景にして示されているが、本発明は保護される素材の複製を提供する如何なるシステムにも適用可能である。例えば、システム２００は通常のテレビ、ケーブル、又は衛星放送局に設置することができ、ここで、レンダラー２２０は素材をリモートレシーバにブロードキャストする送信器を含む。斯かる実施例では、マーキング装置２４０はブロードキャスト素材に目当ての受取人の場所に対応する地理マーカーを付し、それはブロードキャスト局の場所に実際に対応していてもよく、対応していなくてもよい。これら及び他のシステム構成及び最適化の特徴は、この開示を考慮して当業者に明らかであり、特許請求の範囲内に含まれる。
【図面の簡単な説明】
【００２５】
【図１】本発明によるコピープロテクションシステムの一例の流れ図を示す。
【図２】本発明によるコピープロテクションシステムの一例のブロック図を示す。
【図１】
2006520043.tif 000003
【図２】
2006520043.tif 000004
【国際調査報告】
2006520043.tif 000005
2006520043.tif 000006
2006520043.tif 000007
2006520043.tif 000008